(57)【特許請求の範囲】
【請求項１】
可撓性を有する湾曲板と空気袋を内蔵し、外部に面ファスナーを備えた血圧計用カフであって、
前記カフに収納される前記空気袋の展開形状の大きさは、幅が１２０ｍｍ程度、長さが２４０ｍｍ程度、前記湾曲板の展開形状の大きさは、幅が９０ｍｍ程度、長さが２２０ｍｍ程度とし、ループ片の前記面ファスナーは、幅が１００ｍｍ程度、長さが２２０ｍｍ程度とし、前記フック片の前記面ファスナーは、幅が１００ｍｍ程度、長さが８０ｍｍ程度とし、前記湾曲板は長手方向において前記空気袋の両端から１５ｍｍ程度の位置に配置されてなることを特徴とする血圧計用カフ。
【請求項２】
カフの展開状態において、前記カフの内側からみて、前記湾曲板が、実質的に空気袋の後ろに隠れるように、前記カフに内蔵されていることを特徴とする請求項１に記載の血圧計用カフ。
【発明の詳細な説明】
【０００１】
【発明の属する技術分野】
本発明は、上腕または手首などの部位に装着して血圧を測定する血圧計用のカフに関する。
【０００２】
【従来の技術】
可撓性を有する湾曲板をカフ（カフ布）の内部に収納（内蔵）することによって、使用者が一人で容易にカフを腕へ装着できるようにしたものが、特開昭６１−２３８２２９号などに示されている。図５と図６は、代表的な従来の血圧計用カフの、それぞれ、一部捲回した状態での断面図と展開した状態での平面図である。図５では、空気袋４を便宜上、破線で示している。図６は、カフ布２の外側（測定部位から遠ざかる方向の側）よりみた平面図であり、内蔵されている空気袋４と湾曲板５と裏側に設けられている面ファスナー７は破線で示されている。
【０００３】
このような従来の血圧計用カフ１では、略円筒状の可撓性のある比較的かたい湾曲板５は、カフ内面布２１とカフ外面布２２から形成されるカフ布２の内部に、空気袋（空気嚢）４と共に、空気袋４の外側（カフ外面布２２側）に位置するように、収納されている。カフ布２の外側には、カフを測定部位に捲いて固定するためのファスナー６、７が設けられている。しかし、図６にみるように、湾曲板５の展開形状での大きさは、カフ布２内部での湾曲板５の位置ずれを無くすために、空気袋４の展開形状の大きさとほぼ同じかあるいは若干大きく、幅（カフに収納されたときのカフ長手方向に垂直な方向の長さ）は、カフ布２の幅（長手方向に垂直な方向の長さ）に近いものであった。
【０００４】
このようなカフ布２の幅に近い幅をもつ湾曲板５を用いる場合には、カフを測定部位（上腕、手首等）に装着したときに、測定部位（装着部位）やその近くの部位（測定部位が上腕の場合には、肩やひじ等、また、測定部位が手首の場合には、手のひらの一部等）の形状が湾曲板と合わない場合には、湾曲板５の周辺がカフ布２を介して、それらの部位に食い込み、被測定者に苦痛を与えることがあった。特に、測定部位が上腕の場合には、カフの巻具合いがきつい場合や上腕が短くカフが肩やひじにかかる被測定者の場合に、カフ周辺部（カフの端辺部）１０、１１で、湾曲板の周辺がカフ布２を介して、測定部位の上腕や肩やひじに食い込み、装着時に、苦痛を与えることがあった。
【０００５】
更に、このような従来の血圧計用カフ１を製造する過程は、面ファスナー６の周辺をカフ外面布２２に縫い付けて（図５の面ファスナー６の端辺部の縫合部１４、１５はこの一部である；カフ布２の材質と面ファスナー６の材質によっては面ファスナー６とカフ外面布２２は溶着される）後、カフ長手方向の中心あたりで、カフ内面布２１とカフ外面布２２を縫い付けて縫合部（もしくは、カフ布２の材質により、溶着する溶着部）１２を作り、カフ１の端辺部１１から空気袋４と湾曲板５を一緒にカフ布２内部（カフ布内面２１とカフ布外面２２の間）へ挿入して、端辺部１１を縫い付けて縫合部（もしくは、溶着部）１３を作ることで、空気袋４と湾曲板５を、同時にカフ布２の内部に収納するものであった。
【０００６】
しかし、このように、空気袋４を挿入して後、カフ１の端辺部１１に縫合部（溶着部）１３を作る方法だと、誤って、空気袋４を縫い付けてしまう（もしくは、溶着してしまう）可能性があった。また、湾曲板５のみカフ１の端辺部１１から挿入して、端辺部１１に縫合部（溶着部）１３を作って後、空気袋４は、空気袋４のチューブ８の導出口８１などから、丸めてカフ２内部に挿入することもできるが、既に、湾曲板４がカフ２内部に挿入されている状態では、カフ布２の内部の空間が狭く、空気袋４の挿入は難しかった。
【０００７】
【発明が解決しようとする課題】
本発明は、上記従来例の問題点に鑑みてなされたものであって、測定部位（装着部位）やその近くの部位の形状が湾曲板と合わない場合にも、カフ周縁部（周辺部）をやわらかくすることで、被測定者に苦痛を与えず、巻き心地感覚を向上させた、製造が正確で容易な血圧計用カフおよびその製造方法を提供することを目的とする。
【０００８】
【課題を解決するための手段】
上記目的を達成するために、本発明の血圧計用カフは、可撓性を有する湾曲板と空気袋を内蔵し、外部に面ファスナーを備えた血圧計用カフであって、カフに収納される前記空気袋の展開形状の大きさは、幅が１２０ｍｍ程度、長さが２４０ｍｍ程度、湾曲板の展開形状の大きさは、幅が９０ｍｍ程度、長さが２２０ｍｍ程度とし、ループ片の面ファスナーは、幅が１００ｍｍ程度、長さが２２０ｍｍ程度とし、フック片の面ファスナーは、幅が１００ｍｍ程度、長さが８０ｍｍ程度とし、湾曲板は長手方向において空気袋の両端から１５ｍｍ程度の位置に配置されてなることを特徴とする。また、カフの展開状態において、カフの内側からみて、湾曲板が、実質的に空気袋の後ろに隠れるように、カフに内蔵されていることを特徴とする。
【０００９】
【発明の実施の形態】
以下、本発明の血圧計用カフを添付図面に示す好適な実施例に基づいて詳細に説明する。
【００１０】
図１は、本実施例の血圧計用カフを一部捲回した状態での側面図である。内蔵された空気袋４と湾曲板５が破線で示されている。ここでは、本実施例の血圧計用カフの基本的な構造が示されている。すなわち、カフ１には、略円筒形状の比較的かたい湾曲板５が、空気袋４の外側（測定部位から遠ざかる方向の側）に設けられると共に、ファスナー（ループ片）６とファスナー（フック片）７が、カフ布２の表面に設けられ、容易に、カフ１を測定部位に捲回し、装着できる構造となっている。また、カフ２の長い端辺部（カフ長手方向に垂直な方向の端辺部１０）の一部が開口して、空気袋４への空気の送排気を行うために加圧ポンプ等（血圧計本体）に接続されるエアチューブ８の導出口８１となっている。
【００１１】
図２は、空気袋と湾曲板を内蔵（収納）した本実施例の血圧計用カフを一部捲回した状態の断面図であり、図３は、本実施例の血圧計用カフの展開形状をカフ布２の外側（測定部位から遠ざかる方向の側）よりみた平面図である。図２の断面図では、空気袋４は、便宜上、破線で示されている。また、図３では、内蔵されている空気袋４と湾曲板５と裏側に設けられている面ファスナー７が破線で示されている。
【００１２】
図２、図３にみるように、本実施例の血圧計用カフ１は、展開形状では略長方形であり、内側（測定部位に接触する方向の側）の面を形成するカフ内面布２１と外側（測定部位から遠ざかる方向の側）の面を形成するとカフ外面布２２が外周で縫合されたカフ布２を備え、カフ布２の内部（カフ内面布２１とカフ外面布２２の間）には、展開形状で略長方形の空気袋（空気嚢）４が内蔵（収納）されている。
【００１３】
また、カフ布２（カフ外面布２２）の外側表面には、捲回の始まるカフ１（カフ布２）の長手方向の端辺部１１からカフ１（カフ布２）の長手方向の中央あたりまで、比較的広い面積をもつ面ファスナー（ループ片）６が設けられ、カフ１（カフ布２）の前記端辺部１１と長手方向反対側のカフ１（カフ布２）の捲回の終わる部分では、カフ布２（カフ内面布２１）の内側表面に、比較的狭い面積をもつ面ファスナー（フック片）７が設けられ、カフ１を、腕の太さにかかわらず、腕に捲回して、確実に装着できるようになっている。
【００１４】
空気袋４への空気の送排気を行うために空気袋４に接続されているエアチューブ８の導出されるカフ布２の部分では、カフ外面布２２とカフ内面布２１が縫合されることなく、比較的広いエアチューブ８の導出口８１が形成されている。
【００１５】
更に、カフ布２外面（カフ外面布２２）と面ファスナー（ループ片）６の間には、展開形状で略長方形の湾曲板５が内蔵（収納）されている。そして、面ファスナー（ループ片）６の大きさを湾曲板５の大きさよりわずかに大きくすることで、面ファスナー（ループ片）６の周辺の縫合によって、湾曲板５はカフ１に固定される。
【００１６】
以上のように、空気袋４は、カフ内面布２１とカフ外面布２２の間に収納（内蔵）し、湾曲板５はカフ外面布２２とカフ外面布２２上に取り付けた面ファスナー（ループ片）６の間に収納（内蔵）し、湾曲板５と空気袋４がカフ外面布２２を間に置いて収納されていることから、湾曲板５のエッジやバリによる空気袋４への擦れや亀裂などの影響が少なくなり、カフの信頼性や耐久性が向上する。
【００１７】
尚、面ファスナー（ループ片）６のカフ布２（カフ外面布２２）の外側表面への取り付けについては、カフ布２の長手方向の中央あたりの面ファスナー（ループ片）６の端辺部１６を除いては、カフ外面布２２にのみ縫い付けられている（カフ１の端辺部１１の縫合部１４は、この一部である）が、前記端辺部１６では、カフ外面布２２とカフ内面布２１の双方に縫い付けられて、縫合部１７が形成される。縫合部１７は、図２でみるように、面ファスナー（ループ片）６のカフ布２への取り付けと共に、カフ布２内の空気袋４の収納空間を形成している。すなわち、本実施例の血圧計用カフ１の縫合部１７は、従来例（図５）の縫合部１２と縫合部１５の機能を備えており、従来例に比べて、縫合の手間を減らすことができ、製造が容易となっている。
【００１８】
図３にみるように、湾曲板５の展開形状の大きさは空気袋４の展開形状の大きさより小さく、好ましくは、湾曲板５は、カフ１の内側（測定部位に接触する方向の側）からみて、実質的に空気袋４の後ろに隠れるように内蔵されている。このことから、カフ１を測定部位に装着した場合に、湾曲板５が入っていないカフ周縁部（カフ１の端辺部）１０、１１が、やわらかい構造となっている。従って、カフ装着時、このカフ周辺部（カフ１の端辺部）１０、１１において、湾曲板５の周辺がカフ布２を介して測定部位（装着部位）やその近くの部位に食い込んで、被測定者に苦痛を与えることはなく、巻き心地感覚を向上させることができる。
【００１９】
また、カフ１の幅方向（長手方向に垂直な方向）で、湾曲板５が空気袋４の両端から等距離にあるように、前記カフ１（カフ布２と面ファスナー６との間）に収納され、空気袋４も、カフ１の幅方向（長手方向に垂直な方向）で、カフ１（カフ布２）の両端から等距離になるように、カフ１（カフ布２）に収納されている。このことにより、カフ１の幅方向（長手方向に垂直な方向）の両端にある、２つのカフ周縁部（カフ１の端辺部）１０を均等にやわらかくできるので、これら２つのカフ周縁部（カフ１の端辺部）１０のいずれにおいても、測定部位（装着部位）やその近くの部位に湾曲板５の周辺がカフ布２を介して食い込まないようにできる。
【００２０】
カフ１の長さ方向（長手方向）の捲回の始まるカフ周辺部（カフ１の端辺部）１１の近くでも、湾曲板５の周辺は、空気袋４の周辺より、カフ１（カフ布２）の端から遠くに位置するが、あまり、湾曲板５の周辺がカフ１（カフ布２）の端から離れると、カフ１を測定部位に捲く際に、端辺部１１が折れる可能性があるため、一般に、カフ１の幅方向でのカフ１（カフ布２）の端からの距離ほどは、遠くに位置させていない。
【００２１】
湾曲板５の展開形状は、空気袋４の展開形状に比べて、幅（カフ長手方向に垂直な方向の長さ）と長さ（カフ長手方向の長さ）共に小さく、特に、幅（カフ長手方向に垂直な方向の長さ）の比率は０．７〜０．８となっている。この程度の比率にすることにより、カフ１の測定部位への装着を容易にするという湾曲板の本来の機能を十分に維持しながら、測定部位(装着部位)やその近くの部位に湾曲板５の周辺がカフ布２を介して食い込まないようにできる。
【００２２】
更に、略長方形の湾曲板５の四隅は比較的大きな丸み（Ｒ形状）をもっている。このことにより、湾曲板５の周辺がカフ布２を介して食い込みやすい比較的太い測定部位（湾曲板の略円筒に比べてかなり太い測定部位）の場合でも、湾曲板５の四隅が食い込まないようにできる。
【００２３】
本実施例の血圧計用カフ１の製造は、次のようにして行われる。まず、面ファスナー（ループ片）６の外周をカフ外面布２２に、カフ１の長手方向の中央あたりの端辺部１６を除いて縫合する。その後、カフ内面布２１とカフ外面布２２が、エアチューブ８の導出口８１を除いて、周辺で縫合される。次いで、湾曲板５をカフ１の長手方向の中央あたりの面ファスナー（ループ片）６の端辺部１６から挿入して、この端辺部１６をカフ布２（カフ内面布２１とカフ外面布２２）に縫合して縫合部１７を形成して、湾曲板５のカフ１への装着を終える。その後、空気袋４をエアチューブ８の比較的広めの導出口８１より丸めてカフ１（カフ布２）内部（カフ内面布２１とカフ外面布２２の間）に挿入して、カフ１（カフ布２）内で広げることで、空気袋４のカフ１への装着を行い、本実施例の血圧計用カフが作られる。
【００２４】
この場合、カフ１（カフ布２）内部（カフ内面布２１とカフ外面布２２の間）には、従来例（図５）のように、湾曲板は入っていないことから、カフ１内部には空間的な余裕があり（空間的に広く）、空気袋４の挿入は容易である。更に、空気袋４をカフ１（カフ布２）内部（カフ内面布２１とカフ外面布２２の間）に挿入して後、カフ１（カフ布２）を縫合したり溶着することがないことから、空気袋４を誤って、縫合したり溶着することはない。すなわち、カフ１の製造が正確に行われる。
【００２５】
次に、本実施例の血圧計用カフ１を上腕に用いる場合について、説明する。
【００２６】
上腕に用いる本実施例の血圧計用カフ１は、例えば、展開形状の大きさは、幅１３５ｍｍ、長さ５００ｍｍである。また、カフ１に収納される空気袋４の展開形状の大きさは、幅（カフ長手方向に垂直な方向の長さ）は１２０ｍｍ程度、長さ（カフ長手方向の長さ）は２４０ｍｍ程度であり、湾曲板５の展開形状の大きさは、幅（カフ長手方向に垂直な方向の長さ）は９０ｍｍ程度、長さ（カフ長手方向の長さ）は２２０ｍｍ程度である。面ファスナー（ループ片）６の大きさは、幅（カフ長手方向に垂直な方向の長さ）は１００ｍｍ程度、長さ（カフ長手方向の長さ）は２４０ｍｍ程度であり、面ファスナー（フック片）７の大きさは、幅（カフ長手方向に垂直な方向の長さ）は１００ｍｍ程度、長さ（カフ長手方向の長さ）は８０ｍｍ程度である。カフ布２には、綿、もしくは、綿とポリエステルの混紡等が用いられる。また、湾曲板５は、ポリプロピレンやポリエチレン等で比較的かために略円筒状に形成されている。
【００２７】
湾曲板５の大きさと面ファスナー（ループ片）６の大きさは、面ファスナー（ループ片）６の周辺が縫合されると、湾曲板５が、ぴったりと面ファスナー（ループ片）６の内側に収納され、カフ１に固定されるようになっている。
【００２８】
カフ１の幅方向（長手方向に垂直な方向）で、湾曲板５が空気袋４の両端から等距離にあるように、カフ１内部（カフ布２と面ファスナー６との間）に収納される場合には、幅方向（長手方向に垂直な方向）で、湾曲板５は、空気袋４の両端から、１５ｍｍ程度の位置に配置される。また、空気袋４も、カフ１の幅方向（長手方向に垂直な方向）で、カフ１（カフ布２）の両端から等距離になるように、カフ布２内に収納されている場合には、幅方向（長手方向に垂直な方向）で、湾曲板５は、カフ１（カフ布２）の両端から、２０ｍｍ強程度の位置に配置される。
【００２９】
空気袋４の展開形状に比べて、湾曲板５の展開形状は、幅（カフ長手方向に垂直な方向の長さ）と長さ（カフ長手方向の長さ）共に小さく、特に、幅（カフ長手方向に垂直な方向の長さ）の比率は０．７５となっている。このことにより、カフ１の上腕への装着を容易にするという湾曲板５の本来の機能を十分に維持しながら、上腕や近くの肩やひじに湾曲板５の周辺がカフ布２を介して食い込まないようにできる。
【００３０】
また、カフ１の長さ方向（長手方向）の端辺部１１の近くでは、前述の通り、捲き始めで、端辺部１１が折れることを防ぐため、湾曲板５の周辺をカフ１（カフ布２）の端からあまり離すことはできず、湾曲板５の周辺はカフ１（カフ布２）の端から１０ｍｍ〜２０ｍｍの距離の位置に配置されている。
【００３１】
更に、湾曲板５の四隅は、半径１０ｍｍ〜３０ｍｍ程度の比較的大きな丸み（Ｒ形状）をもっている。このことにより、湾曲板５の周辺がカフ布２を介して食い込みやすい比較的太い上腕（湾曲板の略円筒に比べて、かなり太い上腕）の場合でも、湾曲板５の四隅が、上腕や近くの肩やひじに食い込まないようにできる。
【００３２】
図４は本実施例の血圧計用カフを上腕に装着した状態を示す図である。図にみるように、本実施例の血圧計用カフ１は、上腕の短い人が装着した場合に肩やひじにカフ１の周辺部がかかっても、カフ周縁部（周辺部）がやわらかいため、カフ布２に容易にしわができて、湾曲板５の周辺がカフ布２を介して上腕や近くの肩やひじに食い込むことはなく、装着に際して被測定者が苦痛を伴うことのない、測定部位（装着部位）になじみやすい仕様となっていることがわかる。
【００３３】
以上、本願発明を好適実施例に基づいて説明したが、本願発明は、実施例に限定されるものではない。特に、実施例では、測定部位として特に上腕の場合について、詳しく述べたが、本願発明は、測定部位が上腕に限定されるものではない。
【００３４】
【発明の効果】
以上説明したように、本発明の血圧計用カフは、湾曲板の展開形状の大きさが、空気袋の展開形状の大きさよりも小さく、カフ周縁部（周辺部）がやわらかくできるので、測定部位（装着部位）やその近くの部位の形状が湾曲板と合わない場合でも、装着時に、測定部位(装着部位)やその近くの部位に湾曲板の周辺がカフ布を介して食い込むことはなく、被測定者に苦痛を与えず、巻き心地感覚が向上する。
【００３５】
また、カフの長手方向に垂直な方向で、湾曲板が空気袋の両端から等距離に位置し、さらに、空気袋はカフの両端から、等距離に位置させることにより、カフの両端の周縁部（周辺部）を均等にやわらかくできるので、いずれの周縁部（長手方向に垂直な方向の２つの端辺部）においても、測定部位（装着部位）やその近くの部位に湾曲板の周辺がカフ布を介して食い込まないようにできる。このことにより、さらに、被測定者に苦痛を与えず、巻き心地感覚が向上する。
【００３６】
また、前記湾曲板の展開形状での四隅が、比較的大きな丸みをもっているので、測定部位が比較的太い場合でも、湾曲板の四隅がカフ布を介して、測定部位(装着部位)やその近くの部位に食い込まないようにできる。このことにより、確実に、被測定者に苦痛を与えることなく、巻き心地感覚が向上する。
【００３７】
さらに、カフに収納される湾曲板と空気袋のカフ長手方向に垂直な方向の長さの比率は０．７〜０．８となっているので、カフ装着を容易にするという湾曲板の本来の機能を十分維持しながら、測定部位（装着部位）やその近くの部位に湾曲板の周辺がカフ布を介して食い込まないようにできる。このことにより、カフ装着を容易にすると共に、被測定者に苦痛を与えることなく、巻き心地感覚が向上する。
【００３８】
また、空気袋は、カフ布内部（カフ内面布とカフ外面布の間）に内蔵（収納）され、湾曲板はカフ布外面（カフ外面布）に取り付けた面ファスナーとカフ布外面（カフ外面布）との間に内蔵（収納）されることで、湾曲板と空気袋がカフ外面布を間に置いて収納されていることから、湾曲板のエッジやバリによる空気袋への擦れや亀裂などの影響が少なくなり、カフの信頼性や耐久性が向上する。
【００３９】
また、湾曲板を、空気袋に先立って、カフ布外面（カフ外面布）に取り付けた面ファスナーとカフ布（カフ外面布）外面との間に挿入して収納することで、空気袋については、カフの縫合がなされた後、カフ内部（カフ外面布とカフ内面布の間）へ容易に挿入して収納することができ、カフの製造は、正確で容易である。
【図面の簡単な説明】
【図１】本発明の実施例の血圧計用カフを一部捲回した状態での側面図である。
【図２】本発明の実施例の血圧計用カフを一部捲回した状態での断面図である。
【図３】本発明の実施例の血圧計用カフの展開した状態での平面図である。
【図４】本発明の実施例の血圧計用カフを上腕に捲回した状態の図である。
【図５】従来の血圧計用カフの一部捲回した状態での断面図である。
【図６】従来の血圧計用カフの展開した状態での平面図である。
【符号の説明】
１…カフ
１０…カフ長手方向に垂直な方向のカフ周辺部（端辺部）
１１…カフ長手方向のカフ周辺部（端辺部）
１２…面ファスナーとカフ外面布の縫合部
１３…カフ外面布とカフ内面布のカフ端辺部の縫合部
１４…カフ外面布と面ファスナーのカフ端辺部での縫合部
１５…カフ外面布と面ファスナーのカフ長手方向の中央あたりでの縫合部
１６…面ファスナーのカフ長手方向の中央あたりの端辺部
１７…面ファスナーのカフ長手方向の中央あたりの端辺部での縫合部
２…カフ布
２１…カフ内面布
２２…カフ外面布
５…湾曲板
６…面ファスナー（ループ片）
７…面ファスナー（フック片）
８…エアチューブ
８１…エアチューブの導出口
９…カフ周縁部（端辺部）のしわ
【図１】
0003971896.tif 000002
【図２】
0003971896.tif 000003
【図３】
0003971896.tif 000004
【図４】
0003971896.tif 000005
【図５】
0003971896.tif 000006
【図６】
0003971896.tif 000007